(57)【要約】【課題】カメラモジュールの起動に伴って発生する熱を効果的に逃がし、カメラモジュールの温度が高くなり過ぎることを防止すると共に、筐体が熱くなるのを低減する。【解決手段】筐体１１内に、バッテリー４６と、カメラモジュール４７と、前記筐体表面より外部に露出するように配され、バッテリー４６を充電するのに用いる給電用正極端子５１及び給電用負極端子６１とを備え、前記給電用負極端子６１の一部を前記カメラモジュール４７と直接又は伝熱部材を介して間接的に当接させて携帯電子機器を構成する。【選択図】図３
2007096518.tif 000002
【特許請求の範囲】
【請求項１】
筐体内に、少なくともバッテリーと、カメラモジュールと、前記筐体表面より外部に露出するように配され、前記バッテリーを充電するのに用いる給電用正極端子及び給電用負極端子とを備え、前記給電用負極端子の一部を前記カメラモジュールと直接又は伝熱部材を介して間接的に当接させてあることを特徴とする携帯電子機器。
【請求項２】
前記給電用負極端子は板金により形成してあることを特徴とする請求項１に記載の携帯電子機器。
【請求項３】
前記筐体内にはさらに回路基板を備え、該回路基板のグランドラインに前記給電用負極端子が接続されると共に、前記給電用負極端子の他の一部を前記カメラモジュールの撮像窓を有する面側に配してあることを特徴とする請求項１又は請求項２に記載の携帯電子機器。
【発明の詳細な説明】
【技術分野】
【０００１】
本発明は、カメラモジュールを備えた携帯電話機やＰＤＡ（Personal Digital Assistants）、あるいはデジタルカメラやデジタルビデオカメラ等の携帯電子機器に関するものである。
【背景技術】
【０００２】
従来、カメラ付き携帯電話機やＰＤＡ（Personal Digital Assistants）、あるいはデジタルカメラやデジタルビデオカメラ等の携帯電子機器にはカメラモジュールが内蔵されている。このカメラモジュールはＣＭＯＳやＣＣＤ等の撮像素子と樹脂製のレンズを含み、さらにＤＳＰを内蔵したものもある。
【特許文献１】特開２００４−２６０２７７号公報
【発明の開示】
【発明が解決しようとする課題】
【０００３】
ところで、近年、１００万画素以上の高画素のカメラモジュールが利用されるようになっており、カメラモジュールを起動させると、撮像素子の発熱によって携帯電子機器を形成する筐体内の温度上昇やカメラモジュールと接触している筐体に直接熱が伝わり、筐体が熱くなるために、使用者に違和感を与えるといった課題があった。
【０００４】
また、これら携帯電子機器では、限られた狭い空間内にカメラモジュールを備えると共に、他に発熱する多数の電子部品や電気部品を備えることから、筐体内の温度が９０度以上に達する恐れもあり、このような場合、カメラモジュール内に備える樹脂製のレンズを変形させてしまう恐れもあった。
【課題を解決するための手段】
【０００５】
そこで、上記事情に鑑み、本発明は、筐体内に、少なくともバッテリーと、カメラモジュールと、前記筐体表面より外部に露出するように配され、前記バッテリーを充電するのに用いる給電用正極端子及び給電用負極端子とを備え、前記給電用負極端子の一部を前記カメラモジュールと直接又は伝熱部材を介して間接的に当接させて携帯電子機器を構成したことを特徴とする。
【０００６】
なお、前記給電用負極端子は板金により形成することが好ましい。また、前記筐体内にはさらに回路基板を備え、この回路基板のグランドラインに前記給電用負極端子が接続されると共に、前記給電用負極端子の他の一部を前記カメラモジュールの撮像窓を有する面側に配することが好ましい。
【発明の効果】
【０００７】
本発明によれば、カメラモジュールの発熱に伴う熱を筐体表面より露出する給電用負極端子を介して放熱し、筐体が熱を持つのを低減することができる。
【発明を実施するための最良の形態】
【０００８】
以下、本発明の実施形態について説明する。
【０００９】
図１及び図２は本発明の携帯電子機器として携帯電話機１０に適用した例を示す図であり、この携帯電話機１０は、一端に凸部１２を有する略矩形板状の第１筐体１１と、一端に前記凸部１２が嵌入される凹部２２を有する略矩形板状の第２筐体２１を有し、一方の凸部側面と一方の凹部側面とは不図示のヒンジモジュールを介して連結すると共に、他方の凸部側面と他方の凹部側面とは不図示の回転軸を介して連結し、凸部１２、ヒンジモジュール、回転軸、凹部２２とでヒンジ部３０を構成している。これらヒンジモジュール及び回転軸は筐体１１（２１）の幅方向に平行な軸線上に配され、両筐体１１，２１を回動させることができるようになっており、両筐体１１，２１はヒンジ部３０を介して折り畳むことができるようになっている。
【００１０】
第２筐体２１内には液晶ディスプレイや有機ＥＬディスプレイ等の表示装置３１とスピーカ３３を備え、第１筐体１１と対向する対向面２１ａには表示装置３１の表示面３２が配されると共に、前記スピーカ３３の放音口３４が設けられている。
【００１１】
一方、第１筐体１１内には、バッテリー４６、回路基板４５、シールドケース４４、キースイッチ基板とキーシートとからなる操作ユニット４３、カメラモジュール４７、マイクロフォン４９等を備え、第２筐体２１と対向する対向面１１ａには、操作ユニットのキーシートに設けられたカーソルキーやテンキーなどの複数の操作キー４２が配されると共に、前記マイクロフォン４９の集音口５０が設けられている。
【００１２】
また、第１筐体１１のうち対向面１１ａと反対側にある外面１１ｂの一部の部位は前記バッテリー４６の収容部を覆うバッテリー蓋１１ｃにて形成されていると共に、他の部位には前記カメラモジュール４７の撮像窓４８が配されている。また、撮像窓４８を挟んで第１筐体１１の幅方向両側には２つの開口１１ｄ，１１ｅを有し、これら２つの開口１１ｄ，１１ｅよりバッテリー４６を充電するための給電用正極端子面５１ａ及び給電用負極端子面６１ａがそれぞれ露出するようになっている。
【００１３】
次に、カメラモジュール４７と給電用正極端子５１及び給電用負極端子６１の配置状態について図３乃至図５を用いて説明する。
【００１４】
給電用正極端子５１は、帯状の板金を略コ字状に折り曲げ、前記給電用正極端子面５１ａを構成する平坦部５２と、該平坦部５２の両端より前記端子面５１ａに略垂直な方向に延びる屈曲部５３，５４を有し、一方の屈曲部５３が回路基板４５に形成された不図示の電給ラインと電気的に接続されている。
【００１５】
給電用負極端子６１は板金を折り曲げて形成してなり、前記給電用負極端子面６１ａを構成する平坦部６２と、該平坦部６２の両端より前記端子面６１ａに略垂直な方向に延びる屈曲部６３，６４を有し、一方の屈曲部６３が回路基板４５に形成された不図示のグランドラインと電気的に接続されている。また、他方の屈曲部６４はさらに屈曲させ、カメラモジュール４７の下部まで延設させた延出部６５を有し、該延出部６５と前記カメラモジュール４７とを直接当接させてある。なお、本実施形態では給電用負極端子５１の延出部６５をカメラモジュール４７の下部に直接当接させたが、両者の間に熱伝導性の高い銅、銀、金、白金等の金属またはこれらの合金からなる伝熱部材を介して間接的に当接させるようにしてもかまわない。また、６７は給電用負極端子を保持するための基台であり、回路基板４５上に安定して設置するためのものである。
【００１６】
図６に本発明に係る携帯電話機１０のブロック構成について説明する。
【００１７】
３１は表示装置、３３はスピーカ、４３は各操作キーを含む操作ユニット、４９はマイクロフォン、４１はカメラモジュール４７を含むカメラ部、７０はアンテナに接続された無線部、７１は記憶部、４６はバッテリーであり、これら各デバイスは制御部７２に接続されている。また、各デバイスにはバッテリー４６より電力供給されるようになっており、前記制御部７２によって制御されるようになっている。
【００１８】
次に、本発明に係る携帯電話機１０を用いたカメラ撮影動作について説明する。
【００１９】
携行時に折り畳まれた携帯電話機１０を構成する両筐体１１，２１をヒンジ部３０を介して相対的に回動させて開状態とする。
【００２０】
次いで、操作キー４２を操作して表示装置３１の表示面３２にメニュー画面を表示させたあと、さらに操作キー４２を操作してカメラモジュール４７が起動するカメラモードとする。
【００２１】
このとき、カメラモジュール４７に取り込まれた画像は表示装置３１の表示面３２に表示されるようになっている。そして、使用者は被写体を決めたあと、カメラモードが起動したときに予めシャッターボタンとして割り当ててある操作キー４２を押すことで、カメラモジュール４７に取り込まれた画像を記録部７１に記録保持するようになっている。
【００２２】
そして、カメラモジュール４７が起動している間、カメラモジュール４７が発熱し、その熱が筐体１１に伝わって筐体１１が熱を持つことになるのであるが、本発明ではカメラモジュール４７に、優れた熱伝導性を有する板金の給電用負極端子６１を当接させてあることから、この端子６１を介して熱を逃がすことができる。そして、給電用負極端子６１は筐体開口１１ｅより外部に露出していることから端子６１に伝わった熱は給電用負極端子面６１ａを介して逃がすことができる。即ち、本発明によれば、給電用負極端子に放熱部材としての機能を持たせたことにより、カメラモジュール４７から発せられる熱によって筐体１１が熱くなることを低減することができると共に、筐体１１内の温度上昇を抑えることができるため、カメラモジュール４７に使用されているプラスチック製のレンズ等に歪みを生じたりすることを防止することができる。
【００２３】
給電用負極端子６１の延出部６５は、カメラモジュール４７に当接させてあれば良いが、撮像素子が配される近傍の面と当接させることが好ましい。
【００２４】
次に、本発明の他の実施形態について説明する。
【００２５】
図７は先の実施形態と同様の構成を有するものであるが、本実施形態では給電用負極端子６１の延出部６５よりその一部をさらに延出させて円形をした撮像窓４８の周囲を覆うように略半円状部６６を形成したもので、これにより第１筐体１１の外面１１ｂより露出する撮像窓４８と筐体１１との隙間より静電気が進入したとしてもその静電気を回路基板４５のグランドラインに接続された給電用負極端子６１に逃がすことができるため、静電気がカメラモジュール４７に流れてカメラモジュール４７が破損することも防止することができる。
【００２６】
以上、本実施形態では、折り畳みタイプの携帯電話機１０を例にとって説明したが、本発明は他のタイプの携帯電話機にも適用でき、例えば、閉状態では２つの筐体を重ね合わせることができると共に、この重ね合わせ方向に沿う軸線を中心に回動させる回転タイプや、前記重ね合わせ状態から一方の筐体を他方の筐体に対してスライドさせるスライドタイプ等の携帯電話機にも提供することができる。また、一つの筐体からなるストレートタイプの携帯電話機にも適用できることは言うまでもない。
【００２７】
また、本発明は携帯電話機以外にカメラモジュールを備えたＰＤＡ（Personal Digital Assistants）、さらにデジタルカメラやデジタルビデオカメラ等の携帯電子機器にも適用できることは言うまでもない。
【図面の簡単な説明】
【００２８】
【図１】本発明の携帯電子機器の一例である携帯電話機を示す斜視図である。
【図２】本発明の携帯電子機器の一例である携帯電話機の縦断面図である。
【図３】本発明の携帯電子機器の一例である携帯電話機の要部を第１筐体側から見た一部破断斜視図である。
【図４】本発明の携帯電子機器の一例である携帯電話機の要部を第２筐体側から見た一部破断斜視図である。
【図５】本発明の要部であるカメラモジュールと給電用負極端子との関係を示す斜視図である。
【図６】本発明の携帯電子機器の一例である携帯電話機を示すブロック図である。
【図７】本発明の携帯電子機器の一例である携帯電話機の要部の他の例を第１筐体側から見た一部破断斜視図である。
【符号の説明】
【００２９】
１０            携帯電話機
１１            第１筐体
１１ａ          対向面
１１ｂ          外面
１１ｃ          バッテリー蓋
１１ｄ，１１ｅ  開口
１２            凸部
２１            第２筐体
２２            凹部
３０            ヒンジ部
３１            表示装置
３２            表示面
３３            スピーカ
３４            放音口
４２            操作キー
４３            操作ユニット
４４            シールドケース
４５            回路基板
４６            バッテリー
４７            カメラモジュール
４８            撮像窓
４９            マイクロフォン
５１            給電用正極端子
５１ａ          給電用正極端子面
５２            平坦部
５３，５４      屈曲部
６１            給電用負極端子
６１ａ          給電用負極端子面
６２            平坦部
６３，６４      屈曲部
６５            延出部
６６            略半円状部
【図１】
2007096518.tif 000003
【図２】
2007096518.tif 000004
【図３】
2007096518.tif 000005
【図４】
2007096518.tif 000006
【図５】
2007096518.tif 000007
【図６】
2007096518.tif 000008
【図７】
2007096518.tif 000009